(57)【要約】【課題】取付対象物に対する取付作業を容易に行うことが可能な取付装置を提供する。【解決手段】取付装置１０に、第一面部２２ａと第二面部２２ｂとからなりベース取付部材６に当接させられる取付面部、第一面部２２ａと第二面部２２ｂとの間に形成されている開口部２３ａと開口部２３ａの後方で幅方向両外方へ広がっている収容部２３ｂとからなる保持溝２３、を有しているベース部材２０と、幅方向が開口部２３ａよりも大きく収容部２３ｂよりも小さく形成されていると共に厚さが開口部２３ａより及び収容部２３ｂの前後の距離も小さく形成されている平板状の本体部３１、本体部３１の下面を形成している当接部３２、本体部３１において開口部２３ａから臨む部位で奥行方向に延びておりベース取付部材６に取付けるためのボルト４２が螺合させられる雌ネジからなる締結部３３、を有しているスライダ部材３０と、を具備させる。【選択図】図５
2015105500.tif 000002
【特許請求の範囲】
【請求項１】
第一面部と該第一面部に対して平行に延びている第二面部とからなり取付対象物に当接させられる取付面部、該取付面部の前記第一面部と前記第二面部との間に形成されている開口部と該開口部に対して前記取付面部に垂直な前後方向の後方で前記開口部の幅よりも幅方向の両外方へ広がっている収容部とからなる保持溝、を有しているベース部材と、
幅方向の大きさが該ベース部材の前記開口部の幅よりも大きく前記収容部の幅よりも小さく形成されていると共に前後方向の厚さが前記開口部の幅及び前記収容部の前後方向の距離よりも小さく形成されており前記取付面部の前方から前記開口部を通して前記保持溝の前記収容部内へ挿入されている平板状の本体部、該本体部の外周面の一部を形成しており前記保持溝において幅方向を向いている内面に対して少なくとも離れた二点で当接している当接部、及び前記本体部において前記開口部から臨む部位で前後方向に延びており取付対象物に取付けるためのボルト又はナットが螺合させられる雌ネジ又は雄ネジからなる締結部、を有しているスライダ部材と
を具備していることを特徴とする取付装置。
【請求項２】
前記スライダ部材は、
前記本体部における幅方向の少なくとも一方の端部側が、端部へ向かうに従って薄くなるように形成されていることを特徴とする請求項１に記載の取付装置。
【請求項３】
前記スライダ部材は、
前記本体部に、前記収容部から前記開口部内へ膨出している膨出部を有していることを特徴とする請求項１又は請求項２に記載の取付装置。
【請求項４】
前記ベース部材の前記取付面部は、
前記第一面部に対して前記第二面部が前後方向の前方へ離間していることを特徴とする請求項１から請求項３までの何れか一つに記載の取付装置。
【発明の詳細な説明】
【技術分野】
【０００１】
本発明は、取付対象物に太陽電池モジュール等の設置物を取付けるための取付装置に関するものである。
【背景技術】
【０００２】
屋根上に太陽電池モジュールを設置する技術として、屋根上に間隔を開けて取付けた複数の支持部材に、長尺の桟部材を取付け、桟部材の上に太陽電池モジュールを固定する技術が提案されている（特許文献１）。この特許文献１の技術では、支持部材に上方へ延出している一対の支持片が備えられていると共に、桟部材にナットを回転不能且つ長手方向へスライド可能に保持し側面に開口している保持溝が備えられている。そして、支持部材の一対の支持片の間に桟部材を挿入し、保持溝に保持されたナットに、支持片を貫通させたボルトを螺合させることにより、支持部材に桟部材を取付けている。
【０００３】
また、桟部材の保持溝に、ボルトの頭部を回転不能且つスライド可能に保持させて、支持部材の支持片を貫通したボルトにナットを螺合させることにより、支持部材に桟部材を取付ける技術も提案されている（特許文献２）。
【０００４】
しかしながら、特許文献１及び特許文献２のような技術では、桟部材の保持溝にナットやボルトの頭部を保持させる場合、桟部材の長手方向の端部から、保持溝にナット等を挿入し、そのナット等を桟部材における支持部材に取付ける部位までスライドさせる必要がある。そのため、ベース部材としての桟部材において、端部から支持部材に取付ける部位までの距離が長いと、ナット等をスライドさせる距離も長くなるため、取付作業に手間がかかっていた。
【先行技術文献】
【特許文献】
【０００５】
【特許文献１】特許第５２０２４３０号公報
【特許文献２】特開２０１２−１４９４０３号公報
【発明の概要】
【発明が解決しようとする課題】
【０００６】
そこで、本発明は上記の実情に鑑み、取付対象物に対する取付作業を容易に行うことが可能な取付装置の提供を課題とする。
【課題を解決するための手段】
【０００７】
上記の課題を解決するために、本発明に係る取付装置は、「第一面部と該第一面部に対して平行に延びている第二面部とからなり取付対象物に当接させられる取付面部、該取付面部の前記第一面部と前記第二面部との間に形成されている開口部と該開口部に対して前記取付面部に垂直な前後方向の後方で前記開口部の幅よりも幅方向の両外方へ広がっている収容部とからなる保持溝、を有しているベース部材と、幅方向の大きさが該ベース部材の前記開口部の幅よりも大きく前記収容部の幅よりも小さく形成されていると共に前後方向の厚さが前記開口部の幅及び前記収容部の前後方向の距離よりも小さく形成されており前記取付面部の前方から前記開口部を通して前記保持溝の前記収容部内へ挿入されている平板状の本体部、該本体部の外周面の一部を形成しており前記保持溝において幅方向を向いている内面に対して少なくとも離れた二点で当接している当接部、及び前記本体部において前記開口部から臨む部位で前後方向に延びており取付対象物に取付けるためのボルト又はナットが螺合させられる雌ネジ又は雄ネジからなる締結部、を有しているスライダ部材とを具備している」ことを特徴とする。
【０００８】
ここで、「取付対象物」としては、「太陽電池モジュール、太陽熱温水器、緑化体、室外機、等の設置物が固定されるベース部材を、屋根上、壁面、基礎部材、等に取付けるためのベース取付部材」、「ベース部材に太陽電池モジュール、太陽熱温水器、緑化体、室外機、等の設置物を取付けるための固定部材」、を例示することができる。
【０００９】
また、「ベース部材」としては、「延びている方向に直交する断面の形状が単一の部材」、「ブロック状の部材」、「帯板状の部材」、「平板状の部材」、を例示することができる。また、「取付面部」は、第一面部及び第二面部の少なくとも一方が取付対象物に当接させられれば良い。更に、「取付面部」としては、第一面部に対して第二面部が奥行方向へ離間していても良いし、第一面部と第二面部とが同一面上にあっても良い。また、「保持溝」は、延びている方向の端部が、開放されていても良いし、閉鎖されていても良い。
【００１０】
更に、スライド部材の「当接部」とは、「保持溝において幅方向を向いている内面のうち、第一面部側又は第二面部側の何れか一方側の内面に対して当接している当接部」、「保持溝において幅方向を向いている内面のうち、第一面部側と第二面部側の両方側の内面に対して当接している当接部」、「保持溝において幅方向を向いている内面に対して、線状又は面状に当接している当接部」、を例示することができる。
【００１１】
また、「締結部」としては、「本体部を奥行方向（厚さ方向）へ貫通している雌ネジ」、「本体部から奥行方向へ突出している雄ネジ」、の何れかとすることができる。
【００１２】
本構成によれば、締結部を有しているスライダ部材の本体部を、保持溝の開口部の幅よりも大きく且つ収容部の幅よりも小さい幅に形成していると共に、開口部の幅及び収容部の前後の距離よりも小さい厚さに形成している。これにより、本体部を、本体部の幅方向の一方の端部側から、開口部を通して取付面部の前方から保持溝内へ挿入することができる。そして、ベース部材の取付面部に取付対象物を当接させた状態で、保持溝内に挿入したスライダ部材の締結部に、ボルト又はナットを螺合させることにより、取付対象物をベース部材に取付けることができる。従って、ベース部材における取付対象物に取付ける部位（或は近傍の部位）で、取付面部の前方からスライダ部材を保持溝内に挿入することができるため、従来の技術とは異なり、スライダ部材をベース部材の端部から保持溝内に挿入して取付対象物に取付ける部位までスライドさせる必要がなく、取付対象物に対する取付作業を容易に行うことができる。
【００１３】
また、スライダ部材に、保持溝において幅方向を向いている内面に当接する当接部を備えているため、保持溝内に挿入されているスライダ部材の当接部が保持溝の内面に当接することで、保持溝内でのスライダ部材の回転を阻止することができる。従って、スライダ部材の締結部にボルト又はナットを螺合させた時に、スライダ部材の供回りを阻止することができ、ボルト又はナットを確実に締め付けることができる。
【００１４】
また、本発明に係る取付装置は、上記の構成に加えて、「前記スライダ部材は、前記本体部における幅方向の少なくとも一方の端部側が、端部へ向かうに従って薄くなるように形成されている」ことを特徴としても良い。
【００１５】
本構成によれば、スライダ部材の本体部が、幅方向の端部へ向かうに従って薄くなっているため、開口部を通して保持溝内に挿入する時に、その薄くなっている端部側から挿入することで、保持溝内に挿入し易くなり、取付対象物への取付作業を容易に行うことができる。
【００１６】
また、本発明に係る取付装置は、上記の構成に加えて、「前記スライダ部材は、前記本体部に、前記収容部から前記開口部内へ膨出している膨出部を有している」ことを特徴としても良い。
【００１７】
本構成によれば、スライダ部材の本体部に、ベース部材の収容部から開口部内へ膨出する膨出部を有しているため、スライダ部材を開口部を通して保持溝内に挿入した後に、膨出部を開口部内へ膨出するように位置させることにより、膨出部の外周が開口部の内面に当接することによって、スライダ部材に対して保持溝内での幅方向の位置決めを行うことができ、確実に締結部を開口部から臨ませることができる。
【００１８】
また、保持溝が水平方向へ延びる向きでベース部材を使用する場合、スライダ部材を保持溝内に挿入して開口部の内面に膨出部を当接させることにより、保持溝内でのスライダ部材の落下を防止することができる。
【００１９】
更に、本発明に係る取付装置は、上記の構成に加えて、「前記ベース部材の前記取付面部は、前記第一面部に対して前記第二面部が前後方向の前方へ離間している」ことを特徴としても良い。
【００２０】
本構成によれば、第一面部に対して第二面部が前方へ離間しているため、第一面部及び第二面部の垂直線に対して第一面部側へ寄った斜めの方向から開口部を見ると、開口部の幅が最も広く見える。従って、スライダ部材を、第一面部の前方から開口部を通って第二面部の後方へ向かうように移動させると、簡単に保持溝内へ挿入させることができ、取付作業を容易に行うことができる。
【発明の効果】
【００２１】
このように、本発明によれば、取付対象物に対する取付作業を容易に行うことが可能な取付装置を提供できる。
【図面の簡単な説明】
【００２２】
【図１】本発明の一実施形態である取付装置を屋根上に設置物を設置するための設置装置に適用し屋根材及び野地板を断面で示す側面図である。
【図２】図１においてベース取付部材よりも下側を省略すると共にベース部材を断面で示す正面図である。
【図３】（ａ）は図１の取付装置の要部を拡大してベース部材側を示す説明図であり、（ｂ）はスライダ部材を拡大して示す説明図である。
【図４】（ａ）は図１の取付装置においてベース取付部材に対してベース部材を載置する前の状態を斜視図で示す説明図であり、（ｂ）は（ａ）から続きベース取付部材にベース部材を載置し、保持溝へのスライダ部材の挿入を示す説明図である。
【図５】（ｃ）は図４（ｂ）から続き保持溝にスライダ部材を挿入した状態を示す説明図であり、（ｄ）は（ｃ）から続きスライダ部材をスライドさせてベース取付部材のストッパ片に当接させた状態を示す説明図であり、（ｅ）は（ｄ）から続きベース取付部材の第二取付片を通してスライダ部材の締結部にボルトを螺合させて取付けた状態を示す説明図である。
【図６】（ａ）は図１の取付装置においてベース部材の保持溝と挿入する前のスライダ部材とを示す説明図であり、（ｂ）は（ａ）から続き保持溝内にスライダ部材の上端側を挿入した後にスライダ部材を上下に延びるようにした状態を示す説明図であり、（ｃ）は（ｂ）から続きスライダ部材を下方へ移動させて保持溝内に保持させた状態を示す説明図である。
【図７】図１とは異なる形態のスライダ部材を示す説明図である。
【発明を実施するための形態】
【００２３】
本発明の一実施形態である取付装置１０について、図１乃至図６を参照して詳細に説明する。本実施形態の取付装置１０は、太陽電池モジュール、太陽熱温水器、緑化体、空調装置の室外機、等の図示しない設置物を、屋根上に設置するための設置装置１に適用したものである。
【００２４】
ここで、設置装置１は、図１に示すように、複数の屋根材２が敷設さている野地板３に取付けられている台座部材４と、台座部材４に基端側が取付けられており先端側が屋根材２同士の隙間から上方に突出している屋根上取付部材５と、屋根上取付部材５の先端側に取付けられているベース取付部材６と、ベース取付部材６に取付けられており上側に設置物が固定される取付装置１０と、を備えている。本実施形態の取付装置１０は、上側に図示しない設置物が固定される長尺のベース部材２０と、ベース部材２０をベース取付部材６に取付けるためのスライダ部材３０と、を備えている。
【００２５】
ベース部材２０は、帯板状のベース面部２１と、ベース面部２１において平行に延びている長辺から夫々上方へ直角に延びている平板状の一対の取付面部と、取付面部に開口している保持溝２３と、を備えている。ベース部材２０は、保持溝２３の開口によって取付面部が下側の第一面部２２ａと上側の第二面部２２ｂとに分断されており、第二面部２２ｂとベース面部２１とを連結している連結部２４を、更に有している。この長尺のベース部材２０は、軸方向に直交する断面の形状が単一であり、アルミ合金等による金属の押出形材により形成されている。以下では、取付面部に垂直な方向を前後方向と称すると共に、一つの取付面部において、一対の取付面部の間に向かう方向を後方と、これとは反対の方向を前方と、夫々称して説明する。
【００２６】
ベース部材２０について、更に詳述すると、ベース面部２１は、平行に延びている長辺の間の中央部分に、軸方向に沿って上方へ膨出している肉厚部２１ａを有している（図２を参照）。また、取付面部は、ベース面部２１の長辺から上方へ直角に延びている第一面部２２ａと、第一面部２２ａに対して上方へ離間していると共に平行に延びている第二面部２２ｂと、を有している。この取付面部は、第一面部２２ａに対して第二面部２２ｂが、前後方向の前方へ離間している。
【００２７】
保持溝２３は、ベース面部２１、取付面部、及び連結部２４に囲まれることにより形成されている。この保持溝２３は、第一面部２２ａと第二面部２２ｂとの間に形成されている開口部２３ａと、開口部２３ａの前後方向の後方で開口部２３ａの幅Ａ１（図３を参照）よりも幅方向（上下方向）の両外方へ広がっている収容部２３ｂと、によって構成されている。
【００２８】
収容部２３ｂは、図３（ａ）に示すように、第一面部２２ａ側の幅Ａ２よりも、第二面部２２ｂ側の幅Ａ３が、広く形成されている。また、収容部２３ｂの後側の壁（連結部２４）は、前後方向へ離間している第一面部２２ａと第二面部２２ｂとに対応するように、開口部２３ａの幅方向の中央よりもやや上寄りの位置に前後方向にズレた段を有している。従って、収容部２３ｂは、第一面部２２ａ及び第二面部２２ｂと対応するように、前後方向へズレた階段状の形態に形成されている。
【００２９】
スライダ部材３０は、平板状の本体部３１と、本体部３１の外周面の一部を形成している当接部３２と、本体部３１を貫通しており内周面に雌ネジが形成されている締結部３３とを、備えている。このスライダ部材３０の本体部３１及び当接部３２は、延びている方向（図１において左右方向）に直交する断面の形状が単一であり、鉄やアルミ合金等の金属により形成されている。スライダ部材３０の締結部３３は、本体部３１の延びている方向（以下、長手方向と称する）の中央に形成されている。
【００３０】
本体部３１は、一方の面から膨出している膨出部３１ａを有している。この膨出部３１ａは、本体部３１において、長手方向と直交する方向（以下、幅方向と称する）の端部辺の一方（図３では下側の端部辺）から、幅方向の中央より更に反対側の端部辺に寄った位置にかけて膨出している。また、本体部３１は、幅方向の端部辺の一方（図３では下側の端部辺）において、膨出部３１ａが膨出している面とは反対側の面から、その面に沿って端部辺よりも突出している突部３１ｂを有している。また、本体部３１は、膨出部３１ａが膨出している面とは反対側の面において、本体部３１における幅方向の略中央から、突部３１ｂが突出している端部辺とは反対側の端部辺へ向かうに従って本体部３１の厚さが薄くなるように傾斜している傾斜部３１ｃを有している。傾斜部３１ｃは、端部辺へ向かう途中で、更に本体部３１の厚さが薄くなるように、二段階に傾斜している。
【００３１】
本体部３１は、突部３１ｂ側の端部辺側において、本体部３１の厚さ方向に離間しており突部３１ｂと平行に延びている延出部３１ｄを有している。この延出部３１ｄは、突部３１ｂよりも長く延出している。更に、本体部３１は、膨出部３１ａにおける延出部３１ｄとは反対側の端部辺が、膨出部３１ａが膨出している方向へ向かうに従って本体部３１の幅方向中央へ向かうように傾斜している逃し部３１ｅを有している。当接部３２は、本体部３１の外周面において、突部３１ｂと延出部３１ｄとの間の幅方向を向いている外周面である。
【００３２】
このスライダ部材３０は、本体部３１の幅方向の幅Ｂ１が、ベース部材２０の開口部２３ａの幅Ａ１よりも大きく、収容部２３ｂの幅Ａ４（Ａ１＋Ａ２＋Ａ３）よりも小さく形成されている。詳しくは、本体部３１の幅Ｂ１は、（Ａ１）＜Ｂ１＜（Ａ１＋Ａ３）、の範囲内の大きさに形成されている。また、本体部３１の厚さＢ２は、開口部２３ａの幅Ａ１よりも小さく（薄く）形成されている。更に詳述すると、本体部３１の厚さＢ２は、収容部２３ｂにおける第一面部２２ａ側の前後方向の距離である奥行Ａ５及び第二面部２２ｂ側の奥行Ａ６のうち小さい方より、若干薄く形成されている。これにより、スライダ部材３０は、傾斜部３１ｃ側の端部を上方へ向けた状態で、ベース部材２０の取付面部の前方から開口部２３ａを通して保持溝２３内へ挿入することができる（図６を参照）。
【００３３】
このスライダ部材３０を保持溝２３内に挿入した状態では、図２等に示すように、第一面部２２ａと第二面部２２ｂの後側の面に本体部３１が当接していると共に、保持溝２３において幅方向を向いている内面、つまり、開口部２３ａの第一面部２２ａ側の端面に当接部３２が当接している。また、スライダ部材３０を保持溝２３内に挿入した状態では、本体部３１の膨出部３１ａが第二面部２２ｂよりも前方へ突出しないように収容部２３ｂから開口部２３ａ内に膨出していると共に、開口部２３ａから締結部３３が前方へ臨んでいる。
【００３４】
ベース取付部材６は、図１、図２、及び図４等に示すように、上下に延びている平板状の第一取付片６ａと、第一取付片６ａの上端辺から直角に延びている平板状の本体片６ｂと、本体片６ｂにおいて第一取付片６ａの上辺と直交する方向の両端辺から上方へ直角に延びている平板状の一対の第二取付片６ｃと、一対の第二取付片６ｃにおいて第一取付片６ａに近い側の上下に延びている端辺の一部から一対の第二取付片６ｃの間の空間に向けて直角に延びている平板状のストッパ片６ｄと、を備えている。一対の第二取付片６ｃは、ベース部材２０における一対の取付面部（第二面部２２ｂ）の間隔に対して、若干広い間隔で形成されている。一対のストッパ片６ｄの間の間隔は、ベース部材２０の一対の第一面部２２ａの前面同士の間隔よりも大きく形成されている。
【００３５】
また、ベース取付部材６は、第一取付片６ａを貫通しており上下に延びている長孔状の第一取付孔６ｅと、一対の第二取付片６ｃを貫通しており上下に延びている長孔状の第二取付孔６ｆと、を備えている。このベース取付部材６は、ステンレス鋼等の一枚の金属板を折り曲げて形成している。本実施形態のベース取付部材６は、本発明の取付対象物に相当している。
【００３６】
次に、本実施形態の設置装置１において、ベース取付部材６への取付装置１０の取付方法について、図４乃至図６を参照して説明する。ベース取付部材６は、図１に示すように、第一取付片６ａが、屋根材２上に突出している屋根上取付部材５の先端側に、第一取付孔６ｅを通したボルト４０及びナット４１によって取付けられている。このベース取付部材６は、ストッパ片６ｄが備えられている第二取付片６ｃの端辺が、屋根の軒側となるように取付けられている。
【００３７】
屋根上にベース取付部材６を取付けた状態で、ベース面部２１を底面側にしたベース部材２０を、一対の第二取付片６ｃの間に上方から挿入して、本体片６ｂ上に載置する（図４（ａ）を参照）。ベース部材２０を、ベース取付部材６の本体片６ｂ上に載置した状態では、第二面部２２ｂに対して一対の第二取付片６ｃの内側が概ね当接していると共に、保持溝２３の開口部２３ａ内へストッパ片６ｄが延出している（図２を参照）。なお、図示は省略するが、複数のベース取付部材６が屋根の流れ方向に間隔を開けて取付けられており、複数のベース取付部材６に跨るようにベース部材２０を載置する。これにより、ベース部材２０が屋根の流れ方向に延びるように、ベース取付部材６に載置される。
【００３８】
そして、ベース部材２０におけるベース取付部材６よりも棟側の位置において、取付面部の前方からスライダ部材３０を保持溝２３内へ挿入する（図４（ｂ）を参照）。具体的には、図６に示すように、スライダ部材３０を、傾斜部３１ｃ側の端部を上方へ向けると共に、膨出部３１ａが取付面部の前後方向に対して前方（図６において右方）へ膨出するように向ける。この状態で、スライダ部材３０を、傾斜部３１ｃ側の端部がベース部材２０側へ接近するように斜めにした状態（図６（ａ）を参照）とし、第一面部２２ａの前方で第二面部２２ｂよりも下方から、傾斜部３１ｃ側の端部が開口部２３ａを通って収容部２３ｂの第二面部２２ｂの後方へ向かうように、斜め上方へ移動させる。
【００３９】
スライダ部材３０の上端部側を、本体部３１の逃し部３１ｅ付近まで収容部２３ｂ内に挿入したら、スライダ部材３０が上下に延びるように、突部３１ｂ側を第一面部２２ａよりも後方へ移動させる（図６（ｂ）を参照）。その後、突部３１ｂと延出部３１ｄとの間に第一面部２２ａが挿入されるようにスライダ部材３０を下方へ移動させ、開口部２３ａの第一面部２２ａ側の内面に当接部３２を当接させる（図６（ｃ）を参照）。これにより、開口部２３ａの上方を向いている面と、下方を向いている面状の当接部３２とが、面で当接している状態となる。つまり、当接部３２が、保持溝２３の幅方向を向いている内面に対して少なくとも離れた二点で当接している。
【００４０】
この状態では、スライダ部材３０は、本体部３１の突部３１ｂが、収容部２３ｂの内面における第一面部２２ａ側に当接していると共に、本体部３１の傾斜部３１ｃが形成されている面とは反対側の面が、収容部２３ｂの内面における第二面部２２ｂ側に当接している。これにより、スライダ部材３０は、取付面部に対して前方への移動が規制されている。また、スライダ部材３０は、当接部３２が開口部２３ａの第一面部２２ａ側の内面に当接していると共に、膨出部３１ａが収容部２３ｂから第一面部２２ａと第二面部２２ｂとの間の開口部２３ａ内へ膨出している。これにより、スライダ部材３０は、本体部３１の面に対して直角（ここでは前後方向）に延びる軸線を中心に回転させようとしても、当接部３２と逃し部３１ｅが開口部２３ａの内面に当接し、ぐるぐると回転することがない。従って、スライダ部材３０は、保持溝２３内へ挿入することにより、保持溝２３の延びている方向へのみスライド可能に保持される。
【００４１】
スライダ部材３０を保持溝２３内へ挿入したら、スライダ部材３０を、保持溝２３に沿って軒側のベース取付部材６側へスライドさせる（図５（ｃ）を参照）。そして、スライダ部材３０を、ベース取付部材６の一対の第二取付片６ｃの間へ進入させ、スライダ部材３０の軒側を向いている端部を、ベース取付部材６のストッパ片６ｄに当接させる。スライダ部材３０がストッパ片６ｄに当接することにより、これ以上の軒側への移動が阻止される。そして、この状態で、締結部３３と、第二取付片６ｃを貫通している第二取付孔６ｆと、が一致するように、スライダ部材３０における締結部３３の位置と、第二取付片６ｃにおける第二取付孔６ｆとの位置が設定されている（図５（ｄ）を参照）。
【００４２】
この状態で、第二取付片６ｃの前方から、第二取付孔６ｆを通して締結部３３にボルト４２を螺合させて締付ける。これにより、ベース部材２０の第二面部２２ｂが、スライダ部材３０の本体部３１と第二取付片６ｃとで挟持され、ベース取付部材６にベース部材２０が取付けられた状態となる（図５（ｅ）を参照）。なお、本実施形態では、ボルト４２には、スプリングワッシャ４３とワッシャ４４が予め挿通されている。
【００４３】
そして、図示とは反対側においても、上記と同様の手順で、保持溝２３内にスライダ部材３０を挿入し、第二取付片６ｃの第二取付孔６ｆを通してボルト４２を締結部３３に螺合させて締付ける。これにより、ベース取付部材６へのベース部材２０の取付けが完了する。なお、ベース取付部材６の第二取付孔６ｆが、上下に延びた長孔としているため、ベース取付部材６に対する取付高さを調整することができ、ベース部材２０を屋根面（野地板３の上面）と平行に延びるように取付けることができる。
【００４４】
このように、本実施形態の取付装置１０によれば、ベース部材２０におけるベース取付部材６に取付ける付近の部位で、取付面部の前方からスライダ部材３０を保持溝２３内に挿入することができるため、従来の技術とは異なり、スライダ部材３０を長尺のベース部材２０の端部から保持溝２３内に挿入してベース取付部材６に取付ける部位までスライドさせる必要がなく、ベース取付部材６に対するベース部材２０の取付作業を容易に行うことができる。
【００４５】
また、スライダ部材３０に、保持溝２３内において幅方向を向いている内面に当接する当接部３２を備えているため、保持溝２３内でのスライダ部材３０の回転を阻止することができる。従って、スライダ部材３０の締結部３３にボルト４２を螺合させた時に、スライダ部材３０の供回りを阻止することができ、ボルト４２を確実に締付けてベース取付部材６にベース部材２０を取付けることができる。
【００４６】
更に、スライダ部材３０の本体部３１が、傾斜部３１ｃによって幅方向の端部へ向かうに従って薄くなっているため、開口部２３ａを通して保持溝２３内に挿入する時に、その傾斜部３１ｃによって薄くなっている端部側から挿入することで、保持溝２３内に挿入し易くなり、ベース取付部材６への取付作業を容易に行うことができる。
【００４７】
また、スライダ部材３０の本体部３１に、収容部２３ｂから開口部２３ａ内へ膨出する膨出部３１ａを有しているため、膨出部３１ａが開口部２３ａの内面に当接することによって、スライダ部材３０に対して保持溝２３内での幅方向の位置決めを行うことができ、確実に締結部３３を開口部２３ａから臨ませることができる。
【００４８】
更に、第一面部２２ａに対して第二面部２２ｂが前方へ離間しているため、第一面部２２ａ及び第二面部２２ｂの垂直線に対して第一面部２２ａ側へ寄った斜めの方向（斜め下方）から開口部２３ａを見ると、開口部２３ａの幅が最も広く見える。従って、スライダ部材３０を、第一面部２２ａの前方から開口部２３ａを通って第二面部２２ｂの後方へ向かうように移動させると、簡単に保持溝２３内へ挿入させることができ、取付作業を容易に行うことができる。
【００４９】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５０】
例えば、上記の実施形態では、スライダ部材３０の締結部３３を、雌ネジとした例を示したが、これに限定するものではなく、図７に示すように、締結部３５を本体部３１から突出している雄ネジとして、ナット４５を螺合しても良く、上記と同様の作用効果を奏することができる。なお、この場合、ベース取付部材６では、第二取付孔６ｆを、第二取付片６ｃにおいて第一取付片６ａとは反対側で上下に延びている端辺に開口しているＬ字状に形成することにより、その開口している部位から締結部３５を第二取付孔６ｆへ挿入させることができる。また、この場合では、ストッパ片６ｄが不要となる。
【００５１】
また、上記の実施形態では、取付面部の第一面部２２ａと第二面部２２ｂとが前後方向へ離間している例を示したが、これに限定するものではなく、第一面部２２ａと第二面部２２ｂとを同一面上とした取付面部としても良い。なお、この場合、ベース取付部材６には、ストッパ片６ｄを形成しない。また、スライダ部材３０に、本体部３１から直角に突出しており、第二取付片６ｃの棟側を向いている端部に当接可能なストッパ部を形成することが望ましい。
【００５２】
また、上記の実施形態では、取付対象物として、屋根上に取付けられているベース取付部材６を示したが、これに限定するものではなく、屋根上等に取付けられているベース部材に、太陽電池モジュール、太陽熱温水器、緑化体、室外機、等の設置物を取付けるための固定部材としても良い。
【００５３】
更に、上記の実施形態では、取付装置１０を、設置物を屋根上に設置するための設置装置１に適用した例を示したが、これに限定するものではなく、設置物を、壁面や基礎部材等に設置する設置装置に、取付装置を適用しても良い。
【符号の説明】
【００５４】
１  設置装置
６  ベース取付部材（取付対象物）
６ａ  第一取付片
６ｂ  本体片
６ｃ  第二取付片
６ｄ  ストッパ片
６ｅ  第一取付孔
６ｆ  第二取付孔
１０  取付装置
２０  ベース部材
２１  ベース面部
２２ａ  第一面部
２２ｂ  第二面部
２３  保持溝
２３ａ  開口部
２３ｂ  収容部
２４  連結部
３０  スライダ部材
３１  本体部
３１ａ  膨出部
３１ｂ  突部
３１ｃ  傾斜部
３１ｄ  延出部
３１ｅ  逃し部
３２  当接部
３３  締結部
３５  締結部
４２  ボルト
４５  ナット
【図１】
2015105500.tif 000003
【図２】
2015105500.tif 000004
【図３】
2015105500.tif 000005
【図４】
2015105500.tif 000006
【図５】
2015105500.tif 000007
【図６】
2015105500.tif 000008
【図７】
2015105500.tif 000009